(57)【要約】【課題】各単電池の誤接続を防止できる組電池を得る。【解決手段】複数の単電池１をケース内に収納し、各単電池１を互いに電気的に接続する。単電池１は、その外側の側面または底面に凸部４または凹部を設ける。ケースは、その内側の側面または底面に凸部または凹部に嵌合する凹部または凸部を設ける。【選択図】  図１
2004178831.tif 000002
【特許請求の範囲】
【請求項１】
複数の単電池がケース内に収納され、前記各単電池が互いに電気的に接続される組電池であって、
前記単電池はその外側の側面または底面に凸部または凹部が設けられ、前記ケースの内側の側面または底面に前記凸部または凹部に嵌合する凹部または凸部が設けられていることを特徴とする組電池。
【請求項２】
前記凹部は溝状であることを特徴とする請求項１に記載の組電池。
【請求項３】
前記単電池は円筒型鉛電池であることを特徴とする請求項１または２に記載の組電池。
【請求項４】
前記単電池は正出力端子と負出力端子を上面に備えているものであることを特徴とする請求項１〜３のいずれか１項に記載の組電池。
【発明の詳細な説明】
【０００１】
【発明の属する技術分野】
本発明は、組電池に関するものである。
【０００２】
【従来の技術】
鉛蓄電池は、鉛の一部が酸化された鉛粉と水と希硫酸を主成分とし、これに必要に応じて添加物を添加して、練合によって得られたペーストを鋳造格子体や連続多孔体に塗着し、乾燥して得られるペースト式極板が広く用いられている。この極板は、更にセパレータ（隔離板）と組み合わせて極板群とし、電槽に組み込んだ後に、希硫酸を加えて化成充電するか、化成充電後、電槽内に組み込むことによって電池の機能が与えられる。
【０００３】
ところで、鉛蓄電池の主な用途の一つとして、自動車エンジンの始動がある。エンジンの始動は、大電流放電によりエンジン内にスパークを発生させて行うものである。この時の放電電圧が低いまたは放電時間が短いと、エンジンが始動しないという不具が生じる。
【０００４】
この不具合を解消するため、より始動性の高い捲回式鉛電池が提案されている（例えば、特許文献１参照。）。
【０００５】
この捲回式鉛電池を自動車エンジンの始動用として用いる場合、通常直列に接続した６個組みの組電池として用いる。
【０００６】
【特許文献１】
米国特許第５６７７０７８号明細書
【０００７】
【発明が解決しようとする課題】
この組電池は、１つの電槽内に設置された６セルの２Ｖセルからなる場合と、それぞれ独立した２Ｖ電池を６つ組み合わせて電槽などに組み込む場合とがある。後者の場合、電池形状が例えば前述したような円筒形形状であると、各電池の周方向の位置を所定の位置にして設置することが困難で、これら電池の正極と負極とを誤って接続してしまう可能性がある。
【０００８】
本発明の目的は、各単電池の誤接続を防止できる組電池を提供することにある。
【０００９】
【課題を解決するための手段】
本発明は、複数の単電池がケース内に収納され、各単電池が互いに電気的に接続される組電池を対象とする。
【００１０】
本発明に係る組電池では、単電池はその外側の側面または底面に凸部または凹部が設けられ、ケースの内側の側面または底面に前記凸部または凹部に嵌合する凹部または凸部が設けられていることを特徴とする。
【００１１】
このような組電池は、単電池の外側の側面または底面の凸部または凹部と、ケースの内側の側面または底面の凹部または凸部とを嵌め合わせることにより、各単電池の周方向の位置を所定の位置にして設置することができ、単電池の誤接続を防止することができる。
【００１２】
この場合、凹部が溝状であると、この溝状の凹部に沿って凸部を嵌めることができる。
【００１３】
また、単電池が円筒型鉛電池であっても、その外側の側面または底面の凸部または凹部と、ケースの内側の側面または底面の凹部または凸部とを嵌め合わせることにより、各単電池を所定の位置に設置することができ、単電池の誤接続を防止することができる。
【００１４】
さらに、単電池の正出力端子と負出力端子を上面に設けられていると、上側だけで各単電池の正出力端子と負出力端子との接続作業を簡単に行うことができる。
【００１５】
【発明の実施の形態】
以下、発明の実施の形態について詳細に説明する。
【００１６】
負極は、鉛粉と、該鉛粉に対して１３質量％の希硫酸（比重１．２６：２０℃）と、鉛粉に対して１２質量％の水とを混練して負極活物質ペーストを作り、このペースト２４０．０ｇを格子体からなる集電体に充填してから、温度５０℃、湿度９５％中に１８時間放置して熟成した後に、温度２５℃、湿度４０％中に２時間放置し、乾燥して未化成負極板を作製した。
【００１７】
正極の混練において、混練釜を冷却できるものを用いて混練の間温度を一定に保って行った。正極は、鉛粉と、該鉛粉に対して０．０１質量％の硫酸ナトリウム及びカットファイバーと、鉛粉に対して１３質量％の希硫酸（比重１．２６：２０℃）と、鉛粉に対して１２質量％の水とを混練して正極活物質ペーストを作り、この正極活物質ペースト２００．０ｇを鋳造格子体からなる集電体に充填してから、温度５０℃、湿度９５％中に１８時間放置して熟成した後に、温度２５℃、湿度４０％中に２時間放置し、乾燥して未化成正極板を作製した。
【００１８】
このように作製した未化成負極板及び未化成正極板をガラス繊維からなるセパレータを介して捲回し、極板群とした。それを電槽内に配置し、電槽に電解液を注液して未化成電池を作製した。なお、電解液は比重１．２２５（２０℃）の希硫酸である。その未化成電池を５．０Ａで２３時間化成し、電池とした。
【００１９】
図１（Ａ）（Ｂ）は本発明で用いる電池としての単電池の平面図及び側面図である。この単電池１は、その上面に正出力端子２ａと負出力端子２ｂを設け、有底円筒状の電槽３の外壁の側面部に凸部４を設けた円筒形の構造になっている。なお、５はこの単電池１の上面に設けられている安全弁のカバーである。
【００２０】
図２（Ａ）（Ｂ）は本発明でこれら単電池１を６個収納するためのケース６の平面図及び側面図である。このケース６には、前述した円筒形の単電池１を上部から差し込んで収容する円筒状の電池収容室７が３個ずつ２列に設けられている。２列の電池収容室７の間には、これら電池収容室７の相互間を仕切る四角形の仕切り壁８が設けられている。各電池収容室７には、その縦向きの側部内壁に、一方の列では図２（Ａ）で下側寄りの位置に、前述した単電池１の凸部４を嵌める凹部９が溝状にして上下方向に沿って設けられ、他方の列では図２（Ａ）で上側寄りの位置に、前述した単電池１の凸部４を嵌める凹部９が溝状にして上下方向に沿って設けられている。
【００２１】
このような単電池１とケース６を用いる組電池では、各単電池１をその側面の凸部４を、ケース６の各電池収容室７の側面の凹部９に合わせて嵌めてセットする。しかる後に、各単電池１をその正出力端子２ａと負出力端子２ｂを利用して図示しないが直列接続する。
【００２２】
上記例では、単電池１の側面に凸部４を設け、電池収容室７の側部内壁に凹部９を設けたが、単電池１の側面に凹部９を設け、電池収容室７の側部内壁に凸部４を設けてもよい。また、単電池１の底面と電池収容室７の底面に、前述したようにして凸部４と凹部９を設けてもよい。
【００２３】
このようなケース６の各電池収容室７内に各単電池１を、相互の凸部４と凹部９を嵌めて、各単電池１の周方向の位置を所定の位置にして組み込むことができる。即ち、本例では、ケース６の一方の各電池収容室７には単電池１の正出力端子２ａを図で左側にして組み込むことができ、ケース６の他方の各電池収容室７には単電池１の負出力端子２ｂを図で左側にして組み込むことができ、各単電池１の誤接続を防止することができる。
【００２４】
この場合、凹部９を前述したように溝状にすると、この溝状の凹部９に沿って凸部４を嵌めることができる。
【００２５】
また、単電池１が前述したように円筒型鉛電池であっても、その外側の側面または底面の凸部４または凹部９と、ケース６の内側の側面または底面の凹部９または凸部４とを嵌め合わせることにより、各単電池１の周方向の位置を所定の位置にして設置することができ、単電池の誤接続を防止することができる。
【００２６】
さらに、単電池１の正出力端子２ａと負出力端子２ｂを上面に設けられていると、上側だけで各単電池１の正出力端子２ａと負出力端子２ｂとの接続作業を簡単に行うことができる。
【００２７】
上記例では、６セルを２列並べた構造を取り上げたが、他の構造でも同様の効果を得ることができる。
【００２８】
また上記例では、鉛蓄電池を単電池として取り上げたが、他の電池においても同様の効果を得ることができる。
【００２９】
さらに上記例では、円筒形の単電池１について説明したが、正方形の単電池１でも、ケース６の電池収容室７の横断面の形状を正方形にすることにより、本発明を適用することができる。
【００３０】
【発明の効果】
本発明に係る組電池では、単電池の外側の側面または底面に凸部または凹部を設け、ケースの内側の側面または底面に凹部または凸部を設けたので、単電池の外側の側面または底面の凸部または凹部と、ケースの内側の側面または底面の凹部または凸部とを嵌め合わせることにより、各単電池の周方向の位置を所定の位置にして設置することができ、単電池の誤接続を防止することができる。
【００３１】
この場合、凹部が溝状であると、この溝状の凹部に沿って凸部を嵌めることができる。
【００３２】
また、単電池が円筒型鉛電池であっても、その外側の側面または底面の凸部または凹部と、ケースの内側の側面または底面の凹部または凸部とを嵌め合わせることにより、各単電池を所定の位置に設置することができ、単電池の誤接続を防止することができる。
【００３３】
さらに、単電池の正出力端子と負出力端子を上面に設けると、上側だけで各単電池の正出力端子と負出力端子との接続作業を簡単に行うことができる。
【図面の簡単な説明】
【図１】（Ａ）（Ｂ）は本発明で用いる電池としての単電池の平面図及び側面図である。
【図２】（Ａ）（Ｂ）は本発明で用いるケースの平面図及び側面図である。
【符号の説明】
１  単電池
２ａ  正出力端子
２ｂ  負出力端子
３  電槽
４  凸部
５  安全弁のカバー
６  ケース
７  電池収容室
８  仕切り壁
９  凹部
【図１】
2004178831.tif 000003
【図２】
2004178831.tif 000004